(57)【要約】【課題】エレベータの運転効率及び荷物を搬入する作業者の作業効率をより改善して利用者の使用状況に応じたエレベーターサービスとする。【解決手段】乗りかご１１内の荷重を検出する荷重検出装置１６と、各階の乗り場に設けられ乗りかごを呼ぶための登録を行う乗り場呼びボタン６と、乗りかご内に設けられかごの行き先階を登録する行き先階ボタン１２と、乗りかご内に設けられ戸の開放時間を延長するために押される戸開延長ボタン１５と、を有した戸開延長機能を備えたエレベータにおいて、戸開延長ボタン１５が押された後に、荷重検出装置１６による検出値が所定値以下であり、行き先階ボタン１２の登録がない場合、利用者が再度乗車すると予測して、戸開延長を継続する。【選択図】  図１
2012076900.tif 000002
【特許請求の範囲】
【請求項１】
乗りかご内の荷重を検出する荷重検出装置と、各階の乗り場に設けられ前記乗りかごを呼ぶための登録を行う乗り場呼びボタンと、前記乗りかご内に設けられかごの行き先階を登録する行き先階ボタンと、前記乗りかご内に設けられ戸の開放時間を延長するために押される戸開延長ボタンと、を有した戸開延長機能を備えたエレベータにおいて、
前記戸開延長ボタンが押された後に、前記荷重検出装置による検出値が所定値以下であり、前記行き先階ボタンの登録がない場合、利用者が再度乗車すると予測して、戸開延長を継続することを特徴とする戸開延長機能を備えたエレベータ。
【請求項２】
請求項１に記載のものにおいて、再度乗車すると予測されるとき、所定時間に達するまで戸開延長を継続することを特徴とする戸開延長機能を備えたエレベータ。
【請求項３】
請求項１に記載のものにおいて、再度乗車すると予測され、現在時刻が閑散時間帯である場合、戸開延長を所定時間継続することを特徴とする戸開延長機能を備えたエレベータ。
【請求項４】
請求項１に記載のものにおいて、再度乗車すると予測されてなく、他の階で前記乗り場呼びが登録されている場合、戸開延長動作を解除することを特徴とする戸開延長機能を備えたエレベータ。
【請求項５】
請求項１に記載のものにおいて、再度乗車すると予測されてなく、他の階で前記乗り場呼びが登録されていない場合、乗り呼びが登録されるまで、あるいは所定時間に達するまで戸開延長動作を行うことを特徴とする戸開延長機能を備えたエレベータ。
【発明の詳細な説明】
【技術分野】
【０００１】
本発明は、戸開延長ボタンを備えたエレベータに関し、特に戸開放時間を延長する機能を備えたものに好適である。
【背景技術】
【０００２】
エレベータのかご操作盤には通常約２，３秒の戸開時間を約３分までに延長することができる戸開延長ボタンが設けられている。特に、人の他に荷物を運ぶためのものとして人荷用エレベータでは、かご操作盤には通常約２，３秒の戸開時間を約３分までに延長することができる戸開延長ボタンが設けられている。そして、エレベータのかごによって荷物を運ぶ場合、戸開延長ボタンによって戸開時間を延長することで荷物をかご内に運び込んだり、運び出したり、するのを余裕持ってできるようにしている。
【０００３】
また、かごから荷物の運び出しが早く終ったときにはすぐにドアを閉めて、他の階で生じたかご呼びに応えることができるようにするため、ドア開時間の延長中にかご内荷重が０となった場合、ドアを閉じることが知られ、例えば、特許文献１に記載されている。
【０００４】
さらに、開延長釦が使用された場合でも、運転効率の悪化を防止するため、かご内の積載状態が無負荷と検出された場合、ドアを閉めて通常運転状態とするが、設定時間内に荷が積まれるとドアの閉成を阻止することが知られ、例えば、特許文献２に記載されている。
【０００５】
さらに、荷物運搬者が開延長釦の操作や、再度かごを呼ぶ操作を不要とするため、戸開延長動作中にかご内の荷物の積載を検出すると、戸開延長回路を再投入することが知られ、例えば、特許文献３に記載されている。
【０００６】
さらに、乗車する際の不信感や危険性を解消するため、エレベータのかご内荷重の変動状況と乗場釦が押されているかどうかの状況から、かご内への乗客の乗車または降車を判別し、これに基づいて戸開放時間を制御することが知られ、例えば、特許文献４に記載されている。
【先行技術文献】
【特許文献】
【０００７】
【特許文献１】特開平９−２０４８４号公報
【特許文献２】実開平２−７２２８６号公報
【特許文献３】特開平４−２５６６８１号公報
【特許文献４】特開平２００２−３０２３６６号公報
【発明の概要】
【発明が解決しようとする課題】
【０００８】
上記従来技術において、特許文献１に記載のものでは、ドア開時間の延長中にかご内荷重が０となった場合、ドアを閉じるので、エレベータを利用して荷物の運び出しを行う際に、乗り場から荷物を降ろすと、ドアが閉じてしまい、他の階へエレベータが走行する可能性があり、再度エレベータを呼び寄せ、行き先階を登録しなければならず、利用者の使用状況に十分対応しているものとは言い難かった。
【０００９】
また、特許文献２，３のようにかご内の荷物の積載を検出して戸開延長するだけでは、一時的な降車に対しても戸開延長をするため、無駄な操作，時間が多くなるものであった。
【００１０】
さらに、特許文献４のように、乗場釦の押されているかの状況から乗客の乗車または降車を判別するものでは、荷物の搬入作業を行っている作業者の意図が反映されず、利用者の使用状況とは対応していなかった。
【００１１】
本発明の目的は、上記従来技術の課題を解決し、エレベータの運転効率及び荷物を搬入する作業者の作業効率をより改善して利用者の使用状況に応じたエレベーターサービスとすることにある。
【課題を解決するための手段】
【００１２】
上記課題を解決するため、本発明は、乗りかご内の荷重を検出する荷重検出装置と、各階の乗り場に設けられ前記乗りかごを呼ぶための登録を行う乗り場呼びボタンと、前記乗りかご内に設けられかごの行き先階を登録する行き先階ボタンと、前記乗りかご内に設けられ戸の開放時間を延長するために押される戸開延長ボタンと、を有した戸開延長機能を備えたエレベータにおいて、前記戸開延長ボタンが押された後に、前記荷重検出装置による検出値が所定値以下であり、前記行き先階ボタンの登録がない場合、利用者が再度乗車すると予測して、戸開延長を継続する、ものである。
【発明の効果】
【００１３】
本発明によれば、戸開延長ボタンが押された後に、乗りかご内の荷重が所定値以下であり、行き先階ボタンの登録がない場合、利用者が再度乗車すると予測して、戸開延長を継続するので、荷物の搬入作業を行っている作業者の一時的な降車であっても戸開延長をするため、無駄な操作，時間を無くすことができ、利用者の使用状況に応じたエレベーターサービスとなる。
【図面の簡単な説明】
【００１４】
【図１】本発明による一実施の形態である全体構成を示すブロック図。
【図２】一実施の形態における運転動作を示すフローチャート。
【発明を実施するための形態】
【００１５】
以下、図面を参照して一実施の形態を詳細に説明する。  
図１はエレベータ全体を示すブロック図であり、乗りかご１１は巻上機８で駆動されるロープを介してカウンタウェイト９に接続されており、制御プログラムが実行されることによって昇降路内を上下に移動する。１６は乗りかご内の荷重を検出する荷重検出装置、１２は乗りかごの行き先階を指定する行き先階ボタン、１３は戸開ボタン、１４は戸閉ボタン、１５は戸開時間を所定時間延長する戸開延長ボタン、６は各階の乗り場に設置された乗り場呼びボタンであり、これらの検出及び登録状況は機械室に設置された制御盤１内の戸開放調整プログラム２へ出力される。
【００１６】
戸の開閉制御は機械室に設置されたエレベータ制御盤１内の戸開放調整プログラム２によって行われ、戸開放調整プログラム２は再乗車予測部４と戸開延長判断部３と戸開閉制御部５で構成されている。
【００１７】
再乗車予測部４は荷重検出装置１６にて検出したかご内荷重（所定値以下かどうか）と、行き先階ボタン１２の登録状況（登録の有無）から利用者が降車した際に戸開延長動作中の所定時間内に再度乗車するか、乗車しないかを予測し、その結果を戸開延長判断部３へ送信するものである。
【００１８】
戸開延長判断部３は再乗車予測部４の予測結果，閑散時間帯、各階のホールに設けられた乗り場呼びボタン６の登録状況から戸開延長を継続するか終了するかを判断し、その結果を戸開延長判断部３へ送信するものである。
【００１９】
戸開閉制御部は戸開ボタン１３，戸閉ボタン１４の登録状況、更には戸開延長判断部３の判断結果から戸の開閉を決定し、開閉指令をドアモーター７へ出力することで、戸の開閉を行う。
【００２０】
次にドア開閉制御装置における戸開延長方法について図面を参照しながら説明する。
【００２１】
図２は戸開延長動作の制御フローであり、荷重検出装置１６によって、乗りかご１１内に利用者及び荷物が乗っているかを検出する。次に、乗りかご１１が走行し、目的階へ到着すると（Ｓ１１）ドアモーター７が駆動し、約２，３秒の一定時間、戸を開ける（Ｓ１２）。
【００２２】
戸開後、乗りかごに乗っていたエレベータ利用者が戸開延長ボタン１５を押すと（Ｓ１３）、通常は約２，３秒の戸の開放を約３分間の所定時間にまで延長する（Ｓ１４）。延長された時間内にエレベータ利用者は荷物の運び出しを行う。  
戸開延長ボタン１５が押されなかった場合は（Ｓ１３）、一定時間経過後、自動で戸閉する（Ｓ１５）。
【００２３】
戸開延長動作中に荷重検出装置１６がかご内の荷重が所定値以下であることを検出した場合（Ｓ１６）、戸開放調整プログラム２の再乗車予測部４はエレベータ利用者及び荷物は乗りかご１１から降車したと予測する（Ｓ１７）。荷重検出装置１６が乗りかご１１内の荷重を所定値以上検出した場合は、エレベータ利用者、もしくは荷物等がかご内に残っていると判断し、戸開延長時間が所定時間に達するまで戸開延長を継続する（Ｓ２１）。
【００２４】
戸開延長動作中に荷重検出装置１６がかご内の荷重が所定値以下であることを検出し（Ｓ１６）、利用者が降車したと判断された場合（Ｓ１７）、かつ、かご内の行き先階ボタン１２が登録されていた場合（Ｓ１８）、戸開放調整プログラム２の再乗車予測部４は利用者には他の階へ移動する意思があり、戸開延長が有効となる所定時間約３分以内に再度乗車すると予測する（Ｓ１９）。すなわち、利用者が荷物を各階毎に降ろす作業を行う際等には行き先階ボタンが登録されてあれば、荷物を降ろしても所定の戸開延長時間を確保する。
【００２５】
また、かご内の行き先階ボタン１２が登録されてなった場合は（Ｓ１８）、利用者は完全に降車し、戸開延長が有効となる所定時間約３分以内に再度乗車はしないと予測する（Ｓ２３）。予測結果は戸開延長判断部３へ送信する。  
再乗車予測部４にて利用者が戸開延長有効となる所定時間、約３分以内に乗りかご１１に再度乗車すると予測し（Ｓ１９）、現在時刻が閑散時間帯であった場合（Ｓ２０）、戸開延長判断部３にて戸開延長を継続させることに問題が無いため戸開延長が所定時間に達するまで戸開延長を継続する（Ｓ２１）。
【００２６】
利用者が戸開延長有効となる所定時間約３分以内に再度乗車しないと予測した場合（Ｓ２３）、または利用者が戸開延長有効となる所定時間約３分以内に再度乗車すると予測（Ｓ１９）しても、現在時刻が閑散時間帯ではなかった場合（Ｓ２４）、他の階で乗り場呼びボタン６が登録された場合（Ｓ２４）、運転効率の低下を招くため、戸開延長判断部３は戸開延長の登録を解除する（Ｓ２５）。また、他の階で乗り場呼びボタン６が登録されていない場合は（Ｓ２４）、戸開延長時間が所定時間に達するまで、もしくは乗り場呼びボタン６が登録されるまで戸開延長を継続させる（Ｓ２６）。
【００２７】
戸開延長判断部３の判断結果は戸開閉制御部５へ出力し、戸の開閉指令をドアモーター７へ出力させ各動作を行う（Ｓ２２）。
【符号の説明】
【００２８】
１  エレベータ制御盤
２  戸開放調整プログラム
３  戸開延長判断部
４  再乗車予測部
５  戸開閉制御部
６  乗り場呼びボタン
７  ドアモーター
８  巻上機
９  カウンタウェイト
１０  戸
１１  乗りかご
１２  行き先階ボタン
１３  戸開ボタン
１４  戸閉ボタン
１５  戸開延長ボタン
１６  荷重検出装置
【図１】
2012076900.tif 000003
【図２】
2012076900.tif 000004